(57)【要約】【課題】  装置自体の構成が単純であって操作性に優れ、軽量化及びメンテナンス性の向上が図られた軒鼻締機、およびこの軒鼻締機を含んで構成される軒鼻締装置を提供する。【解決手段】  軒鼻締機１０は、上板１１と、下板１２と、軸支プレート１３と軸受プレート１４とに軸通され、下板１２を回動自在に軸支する軸部材１５と、固定レバー１６と、作動レバー１７とを含んで成り、軸プレート１８によって軸支されたクランク軸１９の一方に作動レバー１７が固定され、他方に連結レバー２０の一方が回動自在に連結され、連結レバー２０の他方に、軸レバー２１の一方が回動自在に連結され、軸レバー２１の他方に、軸部材１５が軸通されている。また、軒鼻締装置１は、当該軒鼻締機１０と折り曲げ治具３０とから構成され、折り曲げ治具３０が、長尺の板状部３１と、軒先を差し込むための断面Ｕ字状の差込溝３２とを含んで成る。【選択図】  図１
0003209270.tif 000002
【実用新案登録請求の範囲】
【請求項１】
板金屋根の軒先を折り曲げ加工するための軒鼻締機であって、
上板と、
下板と、
前記上板の両端部近傍にそれぞれ配設された軸支プレートと、前記下板の両端部近傍にそれぞれ配設された軸受プレートとに軸通され、前記下板を回動自在に軸支する軸部材と、
前記上板に固定される固定レバーと、
前記上板に連結される作動レバーと、
を含んで成り、
前記上板の中央部に配設された軸プレートによって軸支されたクランク軸の一方に前記作動レバーが固定され、該クランク軸の他方に連結レバーの一方が回動自在に連結され、
前記連結レバーの他方に、軸レバーの一方が回動自在に連結され、
前記軸レバーの他方に、前記軸部材が軸通されていることを特徴とする軒鼻締機。
【請求項２】
前記作動レバーと前記クランク軸、及び前記上板と一の前記軸受プレートの固定状態を解除することによって分解可能に構成されていることを特徴とする請求項１に記載の軒鼻締機。
【請求項３】
板金屋根の軒先を折り曲げ加工するための軒鼻締装置であって、
請求項１または請求項２に記載の軒鼻締機と、
折り曲げ治具と
から構成され、
前記折り曲げ治具が、
長尺の板状部と、
前記板状部の長手方向の少なくとも一側縁に沿って、前記軒先を差し込むために形成された断面Ｕ字状の差込溝と
を含んで成ることを特徴とする軒鼻締装置。
【請求項４】
前記折り曲げ治具に係る前記板状部と前記差込溝のなす角が鈍角であることを特徴とする請求項３に記載の軒鼻締装置。
【考案の詳細な説明】
【技術分野】
【０００１】
本考案は、板金屋根の端部を折り曲げ加工するための軒鼻締機及びこの軒鼻締機を含んで構成される軒鼻締装置に関する。
【背景技術】
【０００２】
近年、地震などによる家屋倒壊の危険を回避する手段の一つとして屋根の軽量化が図られており、それに伴って板金屋根の需要が高まっている。
【０００３】
板金屋根の施工においては軒先など板金の端部が折り曲げ加工される。この板金の折り曲げ加工をするための工具が種々開示されている（例えば、特許文献１から特許文献３参照。）。
【０００４】
特許文献１に開示された屋根材板金施工用治具は、上板と下板の中間部に、上板、下板より奥行き幅の短い中板を挟着して断面形状が略コの字の折り曲げ部を形成して設け、且つ、上板左右両端側面部の隙間部に屋根材の板厚寸法より若干大きめな所定の隙間をそれぞれ空けて螺着した刃物部材をそれぞれ設け、且つ、下板後方上面部の中心に取手部を設け、且つ、上板と下板と中板をそれぞれ屋根材下端の折り曲げ幅に合わせた任意長さにスライド可能に係止部材で固定して設けたことを特徴とする。特許文献１に開示された屋根材板金施工用治具によって、誰もが容易に取り扱え、作業性がよく経済的である旨、記載されている。
【０００５】
特許文献２に開示された屋根材板金施工用治具は、回動軸部の中心に複数の固定側筒状部材と回動側筒状部材をそれぞれ交互に軸着して設け、且つ、該固定側筒状部材側には回動軸部に対して水平方向の後方に、やや幅広でほぼ矩形状の固定板を固定側筒状部材の外周面と面一に溶着し、該固定板上面の中央やや後方にコの字状の固定用棒部材を溶着して設け、且つ、回動軸部に対して垂直方向下方の回動側筒状部材には、屋根材の折り曲げ幅に適合した板幅を有し、且つ、折り曲げ部材を屋根材折り曲げ時の板厚寸法に合わせた所定寸法だけ隙間を空けて溶着して設け、且つ、前記固定板の上面左右に前後方向に移動して、回動軸部と固定部材間の腕の長さを調整可能に設けたコの字状の前後移動用ローラ付固定用棒部材を設け、且つ、前記折り曲げ部材の側面に補強部材を設け、左右にコの字状の回動用取手部材を前方側から後方側にコの字状に折り曲げ形成して設けたことを特徴とする。この特許文献２に開示された屋根材板金施工用治具によっても、作業性、操作性がよい旨、記載されている。
【０００６】
特許文献３に開示された屋根材折り曲げ用治具は、所定の長さ・幅・厚みを有する横長矩形状の治具本体を設け、該治具本体は、上部材と下部材からなり、いずれか一方が、横方法にスライド可能であり、且つ、所定位置で一時固定するための保持部材とを設け、また、上部材と下部材との間には、屋根材の端部を差し込むための差し込み溝を形成し、さらに、前記本体の長さ方向の両端部には、それぞれ、前記差し込み溝に差し込まれた屋根材の折り曲げ幅を調製する一対のゲージ付折り曲げ幅設定・調整具をそれぞれ設け、さらに、該治具本体の平面には、前記差し込んだ屋根材を折り曲げるための折り曲げ用レバーを植設したことを特徴とする。特許文献３に開示された屋根材折り曲げ用治具も、施行が容易で、作業性、操作性がよい旨、記載されている。
【先行技術文献】
【特許文献】
【０００７】
【特許文献１】実用新案登録第３１６０５６０号公報
【特許文献２】実用新案登録第３１６０７８０号広報
【特許文献３】実用新案登録第３１８７０３０号広報
【考案の概要】
【考案が解決しようとする課題】
【０００８】
上記の特許文献１から特許文献３に開示された屋根材板金施工用治具などによると、板金の折り曲げ加工が容易にでき、作業性、操作性がよいものと思料する。
【０００９】
しかし、屋根上で行われる板金の折り曲げ加工や締め加工においては、装置構成がより単純であって、軽量化が図られ、操作性のよい装置が望まれている。
【００１０】
また、折り曲げ加工や締め加工は繰り返し行われるため、装置を構成する各部に不具合が生じてくるため、装置自体のメンテナンス性の向上も求められる。
【００１１】
そこで本願考案者らは、上記の問題点に鑑み、装置自体の構成が単純であって操作性に優れ、軽量化及びメンテナンス性の向上が図られた軒鼻締機、およびこの軒鼻締機を含んで構成される軒鼻締装置を提供するべく鋭意検討を重ねた結果、本考案に至ったのである。
【課題を解決するための手段】
【００１２】
即ち、本考案の軒鼻締機は、板金屋根の軒先を折り曲げ加工するための軒鼻締機であって、上板と、下板と、前記上板の両端部近傍にそれぞれ配設された軸支プレートと、前記下板の両端部近傍にそれぞれ配設された軸受プレートとに軸通され、前記下板を回動自在に軸支する軸部材と、前記上板に固定される固定レバーと、前記上板に連結される作動レバーと、を含んで成り、前記上板の中央部に配設された軸プレートによって軸支されたクランク軸の一方に前記作動レバーが固定され、該クランク軸の他方に連結レバーの一方が回動自在に連結され、前記連結レバーの他方に、軸レバーの一方が回動自在に連結され、前記軸レバーの他方に、前記軸部材が軸通されていることを特徴とする。
【００１３】
また、本考案の軒鼻締機において、前記作動レバーと前記クランク軸、及び前記上板と一の前記軸受プレートの固定状態を解除することによって分解可能に構成されていることを特徴とする。
【００１４】
更に、本考案の軒鼻締装置は、板金屋根の軒先を折り曲げ加工するための軒鼻締装置であって、上記の軒鼻締機と、折り曲げ治具とから構成され、前記折り曲げ治具が、長尺の板状部と、前記板状部の長手方向の少なくとも一側縁に沿って、前記軒先を差し込むために形成された断面Ｕ字状の差込溝とを含んで成ることを特徴とする。
【００１５】
また、本考案の軒鼻締装置において、前記折り曲げ治具に係る前記板状部と前記差込溝のなす角が鈍角であることを特徴とする。
【考案の効果】
【００１６】
本考案によると、構成が単純であり、操作性に優れた軒鼻締機を提供することができる。また、構成を単純にすることによって、軒鼻締機の軽量化も図ることができる。
【００１７】
また、本考案の軒鼻締機において、作動レバーとクランク軸の固定状態、及び上板と一の軸受プレートの固定状態を解除することによって容易に分解することができ、メンテナンス性の向上を図ることができる。
【００１８】
更に、本考案の軒鼻締装置を軒鼻締機と折り曲げ治具とから構成することによって、装置自体の構成を単純にすることができると共に、操作性に優れた軒鼻締装置を提供することができる。
【００１９】
また更に、本考案の軒鼻締装置に係る折り曲げ治具において、板状部と差込溝のなす角を鈍角とすることによって、軒先の折り曲げ加工の作業性を更に向上することができる。
【図面の簡単な説明】
【００２０】
【図１】本考案の一実施形態に係る軒鼻締装置の斜視図である。
【図２】図１に示した軒鼻締装置に係る軒鼻締機の平面図である。
【図３】（ａ）は図２に示した軒鼻締機の右側面図、（ｂ）は左側面図である。
【図４】図１に示した軒鼻締装置に係る軒鼻締機の組み立て図である。
【図５】図１に示した軒鼻締装置による軒先の加工手順を示した説明図である。
【考案を実施するための形態】
【００２１】
以下、本考案の軒鼻締機及び軒鼻締機を含む軒鼻締装置の一実施形態について、図面に基づいて説明する。図１は、本考案の一実施形態に係る軒鼻締装置１の斜視図、図２は、図１に示した軒鼻締装置１に係る軒鼻締機１０の平面図、図３（ａ）は、図２に示した軒鼻締機１０の右側面図、図３（ｂ）は、図２に示した軒鼻締機１０の左側面図である。
【００２２】
図１に示すように、本考案の一実施形態に係る軒鼻締装置１は、軒鼻締機１０と、折り曲げ治具３０とから構成されている。以下では、まず本考案の
【００２３】
本実施形態に係る軒鼻締機１０は、図１〜図３に示すように、上板１１と下板１２とを備え、上板１１の両端部近傍には軸支プレート１３、１３がそれぞれ配設され、下板１２の両端部近傍には軸受プレート１４、１４がそれぞれ配設されている。そして、これら軸支プレート１３、１３と軸受プレート１４、１４とに、下板１２を回動自在に軸支する軸部材１５が軸通されている。
【００２４】
また、本実施形態の軒鼻締機１０に係る上板１１には、固定レバー１６が固定されると共に、作動レバー１７が連結されている。
【００２５】
上板１１の中央部には、軸プレート１８が配設され、この軸プレート１８によって軸支されたクランク軸１９の一方１９ａに作動レバー１７が連結され、クランク軸１９の他方１９ｂに連結レバー２０の一方２０ａが回動自在に連結されている。
【００２６】
そして、連結レバー２０の他方２０ｂには、軸レバー２１の一方２１ａが回動自在に連結され、軸レバー２１の他方２１ｂに、軸部材１５が軸通されている。
【００２７】
以上の構成から成る本実施形態の軒鼻締機１０は、構成が単純であり、操作性に優れる。また、構成を単純にすることによって軽量化も図られ、操作性の更なる向上が図られる。
【００２８】
ここで、本実施形態の軒鼻締機１０の構成について、図４に基づいて詳述する。図４は本実施形態の軒鼻締機１０の組み立て図である。同図に示すように、上板１１の一方の端部近傍に軸支プレート１３が配設され、中央部に軸プレート１８が配設されている。また、下板１２の両端部近傍には軸受プレート１４、１４がそれぞれ配設されている。
【００２９】
まず、上板１１と下板１２を重ね、上板１１に予め配設されている一方の軸支プレート１３に、下板１２に配設されている一方の軸受プレート１４を当接させる。
【００３０】
また、クランク軸１９の他方１９ｂに、連結レバー２０の一方２０ａを座金２２及びＣ型止め輪２３によって回動自在に連結する。更に、連結レバー２０の他方２０ｂに、軸レバー２１の一方２１ａがスプリングピン２４によって回動自在に連結されている。そして、クランク軸１９の一方１９ａが軸プレート１８に形成されたクランク軸挿通孔１８ａに挿通され、このクランク軸１９の一方１９ａに作動レバー１７が連結されている。
【００３１】
この状態で、下板１２に配設されている他方の軸受プレート１４の外側から、他方の軸受プレート１４が備える軸受孔１４ａ、軸レバー２１が備える軸受孔２１ｃ、軸プレート１８が備える軸支孔１８ｂ、一方の軸受プレート１４が備える軸受孔１４ｂ、上板１１に配設されている一方の軸支プレート１３が備える軸支孔１３ａの順で軸部材１５を挿通する。
【００３２】
軸部材１５は断面形状が概ね角柱状を成しており、軸部材１５の両端部及び中央部の断面形状が円形状に形成されている。つまり、下板１２に配設された軸受プレート１４、１４が備える角形状の軸受孔１４ａ、１４ｂ及び軸レバー２１が備える角形状の軸受孔２１ｃによって、軸部材１５は回転しないように軸受される。一方、上板１１に配設された一方の軸支プレート１３が備える円形状の軸支孔１３ａ及び軸プレート１８が備える円形状の軸支孔１８ｂによって、軸部材１５が回転自在に軸支されている。なお、軸支孔１８ｂに位置することとなる軸部材１５の中央部には、断面形状が円形状の部分に割カラー２５、２５が配設される。
【００３３】
そして、上板１１の他方の端部近傍に配設される軸支プレート１３が備える軸支孔１３ｂに、軸部材１５の円形状の端部を挿入した状態で軸支プレート１３を上板１１にボルト２６で固定すると共に、固定レバー１６もボルト２６で上板１１に固定することによって、本実施形態の軒鼻締機１０が形成されることとなる。
【００３４】
以上のように、本実施形態の軒鼻締機１０は、構成が単純であると共に、作動レバー１７とクランク軸１９の固定状態、及び上板１１と他方の軸受プレート１３の固定状態を解除することによって容易に分解することができる。従って、不良箇所の部品だけを交換することができ、メンテナンス性の向上を図ることができる。
【００３５】
以上、本考案の軒鼻締機の一実施形態について詳述したが、本考案の一実施形態に係る軒鼻締装置１は、上述した本考案の軒鼻締機の一実施形態に係る軒鼻締機１０と、折り曲げ治具３０とから構成される。
【００３６】
折り曲げ治具３０は、図１に示すように、長尺の板状部３１と、板状部３１の長手方向の両側縁に沿って、板金屋根の軒先を差し込むための断面Ｕ字状の差込溝３２とを含んで成ることを特徴とする。なお、図示した実施形態に係る折り曲げ治具３０では、板状部３１の長手方向の両側縁に沿って差込溝３２が形成されているが、この差込溝３２は、板状部３１の少なくとも一側縁に沿って形成されていればよい。
【００３７】
更に、本実施形態に係る折り曲げ治具３０では、板状部３１と差込溝３２のなす角が鈍角に設定されている。この板状部３１と差込溝３２のなす角を鈍角に設定することによって、軒先の折り曲げ加工の作業性を更に向上することができる。
【００３８】
以下に、本実施形態に係る軒鼻締装置１による軒先の加工手順を図５に基づいて説明する。まず図５（ａ）に示すように、本実施形態の軒鼻締装置１に係る折り曲げ治具３０の差込溝３２に、板金屋根Ｒの軒先を差し込む。
【００３９】
そして、図５（ｂ）に示すように、折り曲げ治具３０を回転させて、差込溝３２に差し込まれている軒先部分を所定の角度まで折り曲げる。なお、当該角度は厳密に設定されるものではなく、次工程において軒鼻締機１０で挟むことが可能であればよい。
【００４０】
次に、図５（ｃ）に示すように、本実施形態の軒鼻締装置１に係る軒鼻締機１０を折り曲げられた軒先部分にセットする。このとき、軒鼻締機１０に係る作動レバー１７を回動させることによって下板１２を回動させ、上板１１と下板１２との間に隙間を作る。この状態で上板１１を折り曲げられた軒先に載置し、折り曲げ部分を上板１１が備える当接板２７に突き当てることによって、軒鼻締機１０のセットが完了となる。
【００４１】
最後に、図５（ｄ）に示すように、作動レバー１７を元の位置へ回動させることによって、上板１１と下板１２によって軒先の折り曲げられた部分が挟み込まれ、軒先の折り曲げ加工が完了する。
【００４２】
このように、本考案の軒鼻締装置１を軒鼻締機１０と折り曲げ治具３０とから構成することによって、装置自体の構成を単純にすることができると共に、操作性に優れた軒鼻締装置１を提供することができる。
【００４３】
以上、本考案の軒鼻締機及び軒鼻締機を含む軒鼻締装置の実施形態について詳述したが、本考案の技術的思想を実質的に限定するものと解してはならない。例えば、本考案の一実施形態に係る軒鼻締機１０において、軸プレート１８における作動レバー１７が取り付けられる側と反対側には、倒れ防止ピン２８が突設されることが好ましい。この倒れ防止ピン２８を突設することによって、屋根上での軒先の折り曲げ作業時において、誤って作動レバー１７が回動した場合であっても、連結レバー２０が倒れ防止ピン２８によって係止されるため、作動レバー１７による板金屋根の損傷防止が図られる。本考案はその要旨を逸脱しない範囲で、当業者の創意と工夫により、適宜に改良、変更又は追加をしながら実施できる。
【符号の説明】
【００４４】
１：軒鼻締装置
１０：軒鼻締機
１１：上板
１２：下板
１３：軸支プレート
１４：軸受プレート
１５：軸部材
１６：固定レバー
１７：作動レバー
１８：軸プレート
１９：クランク軸
２０：連結レバー
２１：軸レバー
２８：倒れ防止ピン
３０：折り曲げ治具
３１：板状部
３２：差込溝
【図１】
0003209270.tif 000003
【図２】
0003209270.tif 000004
【図３】
0003209270.tif 000005
【図４】
0003209270.tif 000006
【図５】
0003209270.tif 000007